(57)【要約】【課題】左旋エネルギーが水に吸収され、生物がこのような水を飲むと、フリーラジカルを除去する酵素が活性化され、生物の健康を促進することができる飲用水浄化装置を提供する。【解決手段】水入り口と水出口とを有し、水入り口と水出口の間に内部通路が形成され、外部の水が水入り口から内部通路を進入して水出口から流出する本体２０と、本体２０の内部通路の中段の所定部位に位置され、水入り口から内部通路に進入した水を浄化する浄化部３０と、中空な流路具４１とエネルギーチューブとを有し、流路具４１は本体２０の内部通路と直列接続し、エネルギーチューブは、流路具４１の内部に設けられ、その周面に所定強度の左旋エネルギーフィールドを形成するエネルギーフィールド部４０と、を備える。【選択図】図１
0003156876.tif 000002
【実用新案登録請求の範囲】
【請求項１】
水入り口と水出口とを有し、前記水入り口と前記水出口の間に内部通路が形成され、外部の水が前記水入り口から前記内部通路を進入して前記水出口から流出する本体と、
前記本体の前記内部通路の中段の所定部位に位置され、前記水入り口から前記内部通路に進入した水を浄化する浄化部と、
中空な流路具とエネルギーチューブとを有し、前記流路具は前記本体の前記内部通路と直列接続し、前記エネルギーチューブは、前記流路具の内部に設けられ、その周面に所定強度の左旋エネルギーフィールドを形成するエネルギーフィールド部と、
を備えることを特徴とする飲用水浄化装置。
【請求項２】
前記エネルギーチューブは、更に、中空なキャリヤーを含み、前記キャリヤーの内部には、左旋エネルギーを有する共振合成物が収容されることを特徴とする、請求項１に記載の飲用水浄化装置。
【請求項３】
前記共振合成物は、所定数量のパールと、所定種類の植物と、を含むことを特徴とする、請求項２に記載の飲用水浄化装置。
【考案の詳細な説明】
【技術分野】
【０００１】
本考案は、飲用水を浄化する技術に関し、特に、水に左旋エネルギーフィールドを形成することができる飲用水浄化装置に関するものである。
【背景技術】
【０００２】
陽光、空気および水は地球の生物の不可欠なものであるが、地球の資源が人類に過度に使用されるので、地球の環境が酷く汚染されて悪化する。現代では、工業が高度に発展するので、大量の工業廃棄物が地球の自然サイクルに侵入し、毒物を吸収し、又は代謝できない物質が体内に溜まる他の生物を食べる人類は、体内の細胞が異常に発展するようになり、健康が悪化し、医療資源が無理に利用されるようになる。
【０００３】
科学技術の進展に従って、人体の細胞の老化および病気を引くメカニズムが次々と発見され、フリーラジカルが遺伝子を損壊して人体の細胞が異常に発展し過度に老化するようになることが分かる。しかし、生物の代謝および酷く汚染される環境において、フリーラジカルが発生する。人体の内部には、フリーラジカルを除去する酵素が存在するので、このような酵素を活性化すると、フリーラジカルの人体の遺伝子に対する損壊を大幅に減少することができる。
【考案の概要】
【考案が解決しようとする課題】
【０００４】
本考案の主な目的は、左旋エネルギーが水に吸収され、生物がこのような水を飲むと、フリーラジカルを除去する酵素が活性化され、生物の健康を促進する効果がある飲用水浄化装置を提供する。
【課題を解決するための手段】
【０００５】
本考案の飲用水浄化装置によると、水入り口と水出口とを有し、前記水入り口と前記水出口の間に内部通路が形成され、外部の水が前記水入り口から前記内部通路を進入して前記水出口から流出する本体と、前記本体の前記内部通路の中段の所定部位に位置され、前記水入り口から前記内部通路に進入した水を浄化する浄化部と、中空な流路具とエネルギーチューブとを有し、前記流路具は前記本体の前記内部通路と直列接続し、前記エネルギーチューブは、前記流路具の内部に設けられ、その周面に所定強度の左旋エネルギーフィールドを形成するエネルギーフィールド部と、を備えることを特徴とする。
【０００６】
本考案の飲用水浄化装置によると、前記エネルギーチューブは、更に、中空なキャリヤーを含み、前記キャリヤーの内部には、左旋エネルギーを有する共振合成物が収容されることを特徴とする。
【０００７】
本考案の飲用水浄化装置によると、前記共振合成物は、所定数量のパールと、所定種類の植物と、を含むことを特徴とする。
【考案の効果】
【０００８】
本考案の飲用水浄化装置によれば、パールと特定の植物を混合して発生される左旋エネルギーを飲用水浄化装置に持たせることにより、適当な強度を有する左旋エネルギーフィールドが形成され、水をろ過し浄化すると共に、左旋エネルギーフィールドにより水が共振され、そうすると、左旋エネルギーが水に吸収され、生物がこのような水を飲むと、フリーラジカルを除去する酵素が活性化され、生物の健康を促進することができるという効果を有する。
【図面の簡単な説明】
【０００９】
【図１】本考案の一実施形態の飲用水浄化装置の組合状態の斜視図である。
【図２】本考案の一実施形態の飲用水浄化装置の組合状態の正面図である。
【図３】本考案の一実施形態の飲用水浄化装置の左旋エネルギーフィールドを形成するエネルギーチューブの分解斜視図である。
【図４】本考案の一実施形態の飲用水浄化装置の左旋エネルギーフィールドを形成するエネルギーチューブの組合状態の斜視図である。
【考案を実施するための形態】
【００１０】
以下、本考案の実施の形態を図面に基づいて説明する。
図１から図３を参照する。本考案の一実施形態の飲用水浄化装置１０は、本体２０と、浄化部３０と、エネルギーフィールド部４０と、から構成される。
【００１１】
前記本体２０は、中空なケース２１を有し、前記ケース２１の両側に水入り口２２と水出口２３とが設けられ、前記水入り口２２と前記水出口２３の間に内部通路が形成され、外部の水が前記水入り口２２から前記内部通路を進入して前記水出口２３から流出する。本実施形態では、前記内部通路は、前記前記水入り口２２と、前記水出口２３と、前記浄化部３０と、前記エネルギーフィールド部４０とを直列接続する若干のチューブ２４である。
【００１２】
前記浄化部３０は、前記本体２０の前記内部通路の中段の所定部位に位置され、前記水入り口から前記内部通路に進入した水を浄化する。本実施形態では、前記浄化部３０は、活性炭素などの従来のろ過材で構成され、前記水入り口２２から前記内部通路を進入する水のゴミや有害物質を除去する。水を浄化する技術は従来の技術を使用するので、説明を省略する。もちろん、水を浄化する技術は、ろ過材によって浄化する他、何れかの技術（例えばイオン薄膜やイオン樹脂など）を使用してもよい。
【００１３】
前記エネルギーフィールド部４０は、中空な流路具４１と、エネルギーチューブ４２と、を有し、前記流路具４１は前記本体２０の前記内部通路と直列接続し、これにより、前記流路具４１が前記内部通路と連通し、前記エネルギーチューブ４２は前記流路具４１の内部に設けられ、これにより、前記エネルギーチューブ４２の周面に所定強度の左旋エネルギーフィールドが形成される。前記エネルギーチューブ４２は、中空なチューブ形状キャリヤー４２１と、左旋エネルギーを有する共振合成物４２２と、を含み、前記キャリヤーの内部には、左旋エネルギーを有する共振合成物４２２が収容される。前記共振合成物４２２は、若干のパール４２２１と、複数の植物を混合して構成される植物混合物４２２２と、を含む。前記共振合成物４２２の組成成分のそれぞれの左旋エネルギーが互いに共振するので、全体の共振エネルギーが増加し、エネルギーフィールドの範囲および強度が拡大する。
【００１４】
本考案の飲用水浄化装置１０によれば、水は、浄化されると共に、前記共振合成物４２２による左旋エネルギーフィールドに共振され、このような水が生物に吸収されると、生物の体内のフリーラジカルを除去する酵素が活性化され、このような酵素により生物の体内のフリーラジカルが除去され、実際の試験では、上記の酵素によれば、生物の体内の９９％のフリーラジカルを除去することができる。そしてフリーラジカルを除去できる範囲は、生物の体内の全部の器官であるので、生物の健康を全面的に促進することができる。
【００１５】
本考案の飲用水浄化装置１０によれば、左旋エネルギーが水に吸収され、生物がこのような水を飲むことにより、左旋エネルギーが生物に吸収されて、生物の体内のフリーラジカルを除去する酵素が活性化され、このような酵素により生物の体内の９９％のフリーラジカルが除去され、生物のフリーラジカルによる破壊を減少することができ、そうすると、生物の健康を促進することができる。
【産業上の利用可能性】
【００１６】
本考案は、飲用水浄化装置に適用することができる。
【符号の説明】
【００１７】
１０：飲用水浄化装置、２０：本体、２１：ケース、２２：水入り口、２３：水出口、２４：チューブ、３０：浄化部、４０：エネルギーフィールド部、４１：流路具、４２：エネルギーチューブ、４２１：チューブ形状キャリヤー、４２２：共振合成物、４２２１：パール、４２２２：植物混合物。
【図１】
0003156876.tif 000003
【図２】
0003156876.tif 000004
【図３】
0003156876.tif 000005
【図４】
0003156876.tif 000006